(57)【要約】      （修正有）【課題】縦型で、且つ、水平方向に回転する複数の攪拌翼とし、さらに熱源を菌の立ち上げに利用し、短期に肥料を製造する堆肥製造装置を提供する。【解決手段】基台１ａ上に蓋付きの容器本体１を設け、該容器本体１の中心部には駆動源Ｘで回転する回転軸２を設け、該回転軸２には、複数段にそれぞれ回転翼３ａ、３ｂを設ける。容器本体１の上面には、原料の投入口４を形成すると共に、その蓋４ａを設け、容器本体１の底部には製品の取り出し口５を設け、且つ、容器本体１内へは熱風を吹き込むための熱源Ｙを設け、該熱源Ｙを温度管理する熱電対Ｚを容器本体の内壁面に設ける。【選択図】図２
0003179150.tif 000002
【実用新案登録請求の範囲】
【請求項１】
基台（１ａ）上に、蓋付きの容器本体（１）を設け、
該容器本体（１）の中心部には駆動源（Ｘ）で回転する回転軸（２）を設け、
該回転軸（２）には、複数段にそれぞれ回転翼（３ａ）（３ｂ）を設け、
前記容器本体（１）の上面には、原料の投入口（４）を形成すると共に、該投入口（４）には蓋（４ａ）を設け、
容器本体（１）の底部には製品の取り出し口（５）を設け、
且つ、容器本体（１）内へは熱風を吹き込むための熱源（Ｙ）を設け、
該熱源（Ｙ）を温度管理する熱電対（Ｚ）を、容器本体（１）の内壁面に設けた
ことを特徴とする堆肥製造装置。
【考案の詳細な説明】
【技術分野】
【０００１】
この考案は、堆肥製造装置に関するものであり、特に、堆肥のほか、厩肥、有機発酵肥料を製造するものである。
【背景技術】
【０００２】
従来、我が国の畑作や果樹農業においては、一時化学肥料が主流であったが、自然の有機農法が見直され堆肥の存在がクローズアップされている。
【０００３】
また、従来の堆肥の製造施設においては、原料として、畜糞や有機廃棄物（家庭・給食・レストラン等の食料残査、選定枝、し尿、家畜の糞、農産物収穫残物）等も使用しており、周辺住民からの臭気に関する抗議を恐れ、十分に熟成しないまま製品として出荷されることがあった。
【０００４】
また、蓄糞はもとより、水田、畑、あるいは果樹園等では、農業上の、籾殻、わら、選定枝等の残渣が発生し、これらも産業廃棄物として処理しなけばならず、農家の経営を圧迫するものであった。
【０００５】
そして、これらの農業残渣を、有効に原料として活用し堆肥を作ることが望ましく、これら原料に元菌を加えて発酵させて製造する製造装置が望ましい。しかし、このような発酵処理装置並びに好気性連続発酵処理装置は存在していた。例えば、特許文献１，２のように。
【先行技術文献】
【特許文献】
【０００６】
【特許文献１】特開平１１−１１４５４２号公報
【特許文献２】特開２００２−１４３８０８号公報
【０００７】
しかしながら、これらの技術内容は、横型に載置した処理槽であり、原料を攪拌するための回転翼も垂直方向に設けられており、該回転翼の回転により、原料が圧縮されてしまい良好な堆肥はできないものであった。
【考案の開示】
【考案が解決しようとする課題】
【０００８】
そこで、上記課題を解決する為に、この考案は、従来の横型の発酵槽を有する製造装置の改良を図り、固化されない柔らかな堆肥を製造でき、さらに熱源を用いて菌の立ち上げに利用し、短期に肥料を製造する堆肥製造装置を開発・提供する事にある。
【課題を解決するための手段】
【０００９】
課題を解決するための手段として、本考案は、発酵槽を縦型とし、複数の水平方向の攪拌翼として原料を上方に向けて攪拌し、さらに、熱源を用いて発酵槽内に吹き込み、菌の立ち上げに利用することにより、短期に肥料を製造する堆肥製造装置である。
【考案の効果】
【００１０】
この考案によると、発酵槽である容器本体、並びに、攪拌翼を有する回転軸を垂直型に形成したことにより、容器本体の容積が従来の３０％に比べて、７５％の発酵材料を投入処理することが可能となり、製品を多く製造できる等の効果を奏する。
【００１１】
また、容器本体内の発酵材料は、水平の攪拌翼により下から上に、浮き上がるよう移動しながら攪拌されるため、従来の横型の発酵槽のように攪拌翼によって圧縮され、固形化されることがなく、柔らかい堆肥を得ることができる。
【００１２】
また、この考案によると、攪拌翼を２段式にしたため、翼の回転による圧力を受けることがなく、発酵状態がよいとの効果を奏する。
【００１３】
さらに、発酵槽内に向けて吹き込まれるホットガン等の熱源により、発酵材料中の水分を熱により吸収される結果、材料体の温度となり、元菌に活性を与え、発熱へと繋がるため、この繰り返しにより数時間で到達が可能である等の有益なる効果を奏する。
【図面の簡単な説明】
【００１４】
【図１】この考案の一実施例を示す平面図である。
【図２】この考案の一実施例を示す断面図である。
【図３】図２中のａ−ａ断面を示す縦断面図である。
【考案を実施するための最良の形態】
【００１５】
以下、この考案について詳細に説明する。尚、この考案においては、以下の記述に限定されるものではなく、この考案の要旨を逸脱しない範囲においては適宜変更可能である。
【実施例１】
【００１６】
そこで、この考案の一実施例を図１〜図４に基づいて詳述すると、基台（１ａ）上に、蓋付きの容器本体（１）を設け、該容器本体（１）の中心部には駆動源（Ｘ）で回転する回転軸（２）を設け、該回転軸（２）には、複数段にそれぞれ回転翼（３ａ）（３ｂ）を設け、前記容器本体（１）の上面には、原料の投入口（４）を形成すると共に、その蓋（４ａ）を設け、容器本体（１）の底部には製品の取り出し口（５）を設け、且つ、容器本体（１）内へは熱風を吹き込むための熱源（Ｙ）を設け、該熱源（Ｙ）を温度管理する熱電対（Ｚ）を設けたことを特徴とする堆肥製造装置から構成されるものである。
【００１７】
尚、本考案において、基台（１ａ）は、４本の支柱で構成されたものを図示しているが、これに限定されることはなく、テーブル状の台であってもよく、特に、限定はしない。  また、容器本体（１）と熱源（Ｙ）とを連通するエルボ管（６）を設けている。
【００１８】
また、容器本体（１）に投入する原料は、一例として農業の廃棄物である籾殻と家畜の糞を使用し、籾殻  ５００リットル、なまの鶏糞  ５０Ｋｇ〜６０Ｋｇであり、牛糞を用いる時は、鶏糞の１．５倍とする。豚糞は、鶏糞と同様である。
【００１９】
さらに、使用する元菌は、バチルス菌がよく、窒素の分解には最も強力に働き、このバチルス菌は臭気がない事も特徴である。
【００２０】
次に、高温域で働く高温菌の役割は堆肥の材料中に、雑草の種子や植物性病的因子の殺処理のため、６０°Ｃ以上の高温菌の役割は重要である。
ｐＨは、７〜８に調整する（消石灰使用）。また堆肥材の水分率は５５％が好ましい。  
【００２１】
また、熱源（Ｙ）の一例として使用するホットガンは、菌の立ち上げを誘導するものであり、小型のヒーターの中で最小のもので、「強」・「弱」の切り換えがあり、この考案の使用においては「弱」で運転するものである。尚、ホットガンは、温調計のコントロール下に管理される。
【産業上の利用可能性】
【００２２】
この考案の堆肥製造装置の技術を確立し、この技術をもとに製造・販売することにより産業上の利用可能性を有する。
【符号の説明】
【００２３】
１  容器本体
１ａ  蓋
２  回転軸
３ａ  上回転翼
３ｂ  下回転翼
４  原料の投入口
４ａ  蓋
５  取り出し口
６  エルボ管
Ｘ  駆動源
Ｙ  熱源
Ｚ  熱電対
【図１】
0003179150.tif 000003
【図２】
0003179150.tif 000004
【図３】
0003179150.tif 000005